(57)【要約】【課題】酸化剤ポンプの効率を向上できる燃料電池システムを提供する。【解決手段】酸化剤流路上に、消音器８０の下流であってエアポンプ３１の上流に水透過膜を用いた気化冷却式の酸化剤冷却器３２が備えられている。消音器８０の空気取入れ口８０ａから吸気された空気は、消音器８０内を通過することによってラジエータ７０の排熱の影響を受けて過熱されるが、酸化剤冷却器３２を通過することにより、水貯留部３５ｓから貯水部３２ａに送られる凝縮水の気化熱によってエアポンプ３１の空気の吸込み温度を低下させることができる。【選択図】図１
2012099394.tif 000002
【特許請求の範囲】
【請求項１】
燃料電池と、
前記燃料電池のカソードに供給される酸化剤が通流する酸化剤流路と、
前記燃料電池のカソードに酸化剤を供給する酸化剤ポンプと、
前記燃料電池を冷却する冷却液を通流させて放熱するラジエータと、
前記ラジエータに近接配置された消音器と、
を備えた燃料電池システムにおいて、
前記酸化剤流路上に、前記消音器の下流であって前記酸化剤ポンプの上流に水透過膜を用いた気化冷却式の酸化剤冷却器を備えることを特徴とする燃料電池システム。
【請求項２】
前記燃料電池の排出流れ中の水を貯留する水貯留部を備え、
前記水貯留部と前記酸化剤冷却器とは水の通流が可能となるように構成されていることを特徴とする請求項１に記載の燃料電池システム。
【請求項３】
前記水貯留部と前記酸化剤冷却器との間において水の通流を可能にする通流管を備え、
前記通流管には、前記水貯留部に貯留された水を前記酸化剤冷却器に送る水ポンプが配置されていることを特徴とする請求項２に記載の燃料電池システム。
【発明の詳細な説明】
【技術分野】
【０００１】
本発明は、消音器の下流に酸化剤を供給する酸化剤ポンプを備える燃料電池システムに関する。
【背景技術】
【０００２】
燃料電池システムは、燃料電池に酸化剤を供給する酸化剤ポンプの上流側に、吸気騒音を吸収するための消音器を備えたものがある（例えば、特許文献１参照）。
【先行技術文献】
【特許文献】
【０００３】
【特許文献１】特開２００５−１１６３５３号公報（段落０００７，０００８、図１）
【発明の概要】
【発明が解決しようとする課題】
【０００４】
しかしながら、特許文献１に記載の燃料電池システムを車両に適用した場合、エア取り入れのレイアウト上、フロントラジエータとの配置関係から消音器等が熱を受けてしまうという問題がある。つまり、消音器は車両のモータルーム内に設置されるため、ラジエータの排気側の排熱の影響を受け、エアポンプの吸い込み温度が消音器の吸気温度に比べてかなり上昇してしまい、エアの体積流量が増加する。これにより、温度が上昇しない場合と同量のエア（酸素）を送り込む必要があることから、エアポンプがより仕事をせざるを得なくなり、エアポンプの効率が低下してしまうという問題があった。
【０００５】
本発明は、前記従来の問題を解決するものであり、酸化剤ポンプの効率を向上できる燃料電池システムを提供することを課題とする。
【課題を解決するための手段】
【０００６】
本発明は、燃料電池と、前記燃料電池のカソードに供給される酸化剤が通流する酸化剤流路と、前記燃料電池のカソードに酸化剤を供給する酸化剤ポンプと、前記燃料電池を冷却する冷却液を通流させて放熱するラジエータと、前記ラジエータに近接配置された消音器と、を備えた燃料電池システムにおいて、前記酸化剤流路上に、前記消音器の下流であって前記酸化剤ポンプの上流に水透過膜を用いた気化冷却式の酸化剤冷却器を備えることを特徴とする。
【０００７】
これによれば、消音器と酸化剤ポンプとの間の酸化剤流路に気化冷却式の酸化剤冷却器を配置することで、ラジエータの排熱を受けて高温となって消音器を通過した酸化剤ポンプの吸気の温度を下げることができるので、エアポンプの効率を向上できる。
【０００８】
このように、高温の酸化剤が酸化剤ポンプに導入されることがなくなり、ポンプの効率を向上できるので、高回転（高い回転速度）で酸化剤ポンプをまわす必要がなくなり、エネルギの消費を抑制できるとともに、酸化剤ポンプの作動により発生する音（騒音）や振動を抑制できる。しかも、小型の酸化剤ポンプを利用できるようになり、コストを低減した、コンパクトなシステムを構築できる。
【０００９】
また、前記燃料電池の排出流れ中の水を貯留する水貯留部を備え、前記水貯留部と前記酸化剤冷却器とは水の通流が可能となるように構成されていることを特徴とする。
【００１０】
これによれば、燃料電池から排出される水を水貯留部で貯留することで、燃料電池から排出される水（凝縮水）を利用して酸化剤を冷却することができるので、凝縮水を有効に利用することができ、また酸化剤冷却器に水を供給するための装置を別個に設ける必要がない。
【００１１】
また、前記水貯留部と前記酸化剤冷却器との間において水の通流を可能にする通流管を備え、前記通流管には、前記水貯留部に貯留された水を前記酸化剤冷却器に送る水ポンプが配置されていることを特徴とする。
【００１２】
これによれば、燃料電池から排出される凝縮水を酸化剤冷却器に圧送する差圧が発生しない場合のある燃料電池システムであっても、水ポンプを作動させることによって凝縮水を酸化剤冷却器に圧送することが可能になる。
【発明の効果】
【００１３】
本発明によれば、酸化剤ポンプの効率を向上できる燃料電池システムを提供できる。
【図面の簡単な説明】
【００１４】
【図１】第１実施形態に係る燃料電池システムを示す全体構成図である。
【図２】希釈器の内部構成の一例を示す縦断面図である。
【図３】酸化剤冷却器の内部構成の一例を示す模式図である。
【図４】第１実施形態の変形例に係る燃料電池システムを示す構成図である。
【図５】第２実施形態に係る燃料電池システムを示す全体構成図である。
【図６】第３実施形態に係る燃料電池システムを示す全体構成図である。
【発明を実施するための形態】
【００１５】
以下、本発明の実施形態に係る燃料電池システムについて図面を参照して説明する。まず、図１ないし図３を参照して第１実施形態に係る燃料電池システムを説明する。なお、本実施形態の燃料電池システムは、特に四輪などの燃料電池車に適用されるものであるが、これに限定されるものではなく、ラジエータと消音器とが近接配置されて、ラジエータの排熱によって吸気が高温になる様々なシステムに適用できる。なお、以下では、燃料電池車を例に挙げて説明する。
【００１６】
（第１実施形態）
図１に示すように、第１実施形態の燃料電池システム１Ａは、燃料電池１０、アノード系２０、カソード系３０を含んで構成されている。
【００１７】
燃料電池１０は、例えば、固体高分子型燃料電池（Polymer Electrolyte Fuel Cell：ＰＥＦＣ）であり、ＭＥＡ（Membrane Electrode Assembly、膜電極接合体）を一対のセパレータ（図示せず）で挟持してなる単セルを厚み方向に複数積層し、各単セルを電気的に直列に接続した燃料電池スタックである。
【００１８】
ＭＥＡは、陽イオン交換膜からなる固体高分子電解質膜（以下、電解質膜と略記する）をアノードとカソードとで挟んで構成されている。アノードおよびカソードは、例えば、カーボンペーパ等からなるガス拡散層と、白金合金が表面に担持された多孔質カーボン粒子が前記ガス拡散層の表面に塗布されて形成される電極触媒層である。
【００１９】
セパレータは、カーボンなどの導電性の金属材料で形成され、水素（燃料ガス）が通流するアノード流路１１、空気（酸化剤）が通流するカソード流路１２がそれぞれ形成されている。なお、燃料電池１０を冷却する冷媒が通流する冷媒流路１３が形成され、冷媒流路がラジエータと接続されるように構成されている。
【００２０】
このように構成された燃料電池１０では、アノードに水素が供給され、カソードに空気中の酸素が供給されることにより、アノードおよびカソードに含まれる触媒上で電極反応が起こり、燃料電池１０が発電可能な状態となる。
【００２１】
また、燃料電池１０は、外部負荷と電気的に接続され、外部負荷によって電流が取り出されると、燃料電池１０が発電するようになっている。なお、外部負荷とは、エアポンプ３１、高圧バッテリ（図示せず）、走行モータ（図示せず）などである。
【００２２】
アノード系２０は、燃料電池１０のアノードに対して水素を給排するものであり、気液分離器２１、ドレン弁２２、パージ弁２３を含んで構成されている。また、アノード系２０は、図示しない高圧水素タンクから遮断弁および減圧弁を介して供給された水素が、アノード流路１１の入口１１ａに対して配管ａ１を介して供給されるようになっている。アノード流路１１の出口１１ｂから排出された未反応の水素は、配管ａ２、気液分離器２１、配管ａ３を介して配管ａ１に戻るようにして循環するように構成されている。図示していないが、水素を循環させる手段としては、エゼクタやポンプなどである。
【００２３】
気液分離器２１は、燃料電池１０のアノードから排出されたアノードオフガスに含まれる水分と未反応の水素とを分離する機能を有し、アノード流路１１の出口１１ｂから未反応の水素とともに排出される水分を貯留する貯留部を備えている。なお、アノードから排出される水分は、電解質膜を介してカソードからアノードに透過したものである。
【００２４】
気液分離器２１は、例えば、該気液分離器２１内の壁面に衝突して凝縮した水分が重力の作用によって空間内を落下して底部に形成された貯留部に貯留されるように構成されている。なお、ここでの水分とは、アノードオフガスの流れに同伴して燃料電池１０から気液分離器２１内に導入された凝縮水だけではなく、アノードの出口１１ｂからアノードオフガスの流れに同伴して排出された水蒸気が、気液分離器２１内の壁面などに接触することによって結露したものを意味している。
【００２５】
ドレン弁２２は、気液分離器２１の貯留部と配管ａ４を介して接続され、後記する希釈器３５と配管ａ５を介して接続されるように構成されている。また、ドレン弁２２は、燃料電池１０の発電時において、図示しない制御部によって開弁されることにより、貯留部に貯留された凝縮水が、配管ａ４，ａ５を介して希釈器３５に排出される。なお、ドレン弁２２を開弁するタイミングは、気液分離器２１内に水位センサを設けて判断してもよく、タイマを用いて定期的に開弁するようにしてもよい。
【００２６】
パージ弁２３は、例えば発電時において水素循環流路（ａ１，ａ２，ａ３，１１）に蓄積した不純物を車外（燃料電池システム１Ａの外部）に排出する機能を備えている。また、パージ弁２３は、配管ａ６を介して配管ａ３と接続され、配管ａ７を介して後記する希釈器３５と接続されている。なお、パージ弁２３は、図示しない制御部によって、水素循環流路内の水素濃度の低下（発電性能の低下）に応じて、またはタイマによって定期的に開閉制御される。
【００２７】
カソード系３０は、燃料電池１０のカソードに対して空気（酸素）を給排するものであり、エアポンプ（酸化剤ポンプ）３１、酸化剤冷却器３２、膜加湿器３３、背圧弁３４、希釈器３５、熱交換器６０、消音器８０を含んで構成されている。消音器８０は、最も上流側に位置し、配管ｂ１、酸化剤冷却器３２、配管ｂ２、エアポンプ３１、配管ｂ３、熱交換器６０、配管ｂ４、膜加湿器３３、配管ｂ５を介してカソード流路１２の入口１２ａと接続されている。カソード流路１２の出口１２ｂは、配管ｂ６、膜加湿器３３、配管ｂ７、背圧弁３４、配管ｂ８、希釈器３５、配管ｂ９を介して車外と接続されている。なお、本実施形態に係る配管ｂ１〜ｂ９によって酸化剤流路が構成されている。
【００２８】
エアポンプ３１は、例えば、モータ（図示せず）で駆動される機械式の過給器（スーパーチャージャ）であり、車外から取り込んだ空気を圧縮して燃料電池１０のカソードに供給するように構成されている。
【００２９】
酸化剤冷却器３２は、エアポンプ３１から供給される高温の空気を冷却する機能を有し、気化熱を利用して空気（酸化剤）を冷却するように構成されている。なお、酸化剤冷却器３２の詳細については後記する。
【００３０】
膜加湿器３３は、エアポンプ３１から供給される乾燥空気（酸化剤）を加湿するものであり、例えば、複数の中空糸膜（水分交換膜）が束ねられた中空糸膜束が収容されたケース（不図示）を有し、エアポンプ３１からの乾燥空気の入口３３ａおよび出口３３ｂ、カソードオフガス（酸化剤オフガス）の入口３３ｃおよび出口３３ｄがそれぞれ形成されている。
【００３１】
膜加湿器３３では、例えば、ケース内の中空糸膜の内側をエアポンプ３１からの乾燥空気が通り、中空糸膜の外側を湿潤な空気を含むカソードオフガスが通ることで、中空糸膜に形成された細孔内にカソードオフガスに含まれる水蒸気が入り込む。そして、中空糸膜の細孔内を水蒸気が膜の外側から内側に移動することで、水蒸気が乾燥空気に渡されて乾燥空気が加湿される。なお、乾燥空気が中空糸膜の外側、カソードオフガスが中空糸膜の内側を通るようにしてもよい。
【００３２】
背圧弁３４は、例えばバタフライ弁などの開度調節可能な弁で構成され、燃料電池１０のカソードに供給される空気の圧力を調節する機能を有する。
【００３３】
希釈器３５は、アノード流路１１の出口１１ｂから排出されたアノードオフガスに含まれる水素とカソード流路１２の出口１２ｂから排出されるカソードオフガスとを混合し、規定の水素濃度を下回るように希釈する機能を有している。希釈後のガスは配管ｂ９を介して車外に排出される。
【００３４】
熱交換器６０は、いわゆるインタークーラと称されるものであり、冷却液が通流するパイプや放熱用のフィンなどで構成されている。この熱交換器６０は、例えば、燃料電池１０を冷却する冷却液（エチレングリコール、水など）と冷媒を共有するものであり、燃料電池１０およびラジエータ７０を介して冷却液を循環させて、ラジエータ７０とともに燃料電池システム１Ａの冷却系を構成している。すなわち、熱交換器６０の冷却液の出口６０ａは、配管ｄ１を介してラジエータ７０の冷却液の入口７０ａと接続されている。ラジエータ７０の冷却液の出口７０ｂは、配管ｄ２を介して燃料電池１０の冷媒流路１３の入口１３ａと接続されている。冷媒流路１３の出口１３ｂは、配管ｄ３を介して熱交換器６０の冷却液の入口６０ｂと接続されている。なお、図示していないが、燃料電池システム１Ａは、ラジエータ７０をバイパスするバイパス配管、およびバイパス配管とラジエータとの間での冷却液の温度に応じて冷却液の流量を調整する切替弁（例えば、サーモスタット弁）、冷却液を循環させる循環ポンプを備えている。
【００３５】
ラジエータ７０は、冷却液が通流するパイプや放熱用のフィンなどで構成され、モータルーム内の前端部（例えば、車両に形成されたフロントグリルの背面近傍）に配置され、走行風、あるいはラジエータ７０の背面側に設けられたラジエータファン（図示せず）による風（冷却風）を取り込めるように構成されている。なお、モータルーム内には、例えば、ラジエータ７０の他に、車輪（前輪）を駆動させるための走行モータ（不図示）、走行モータ用のインバータ（不図示）、エアポンプ３１、熱交換器６０などが設けられている。
【００３６】
ラジエータ７０での放熱により冷却された冷却液は、燃料電池１０の冷媒流路１３を通流することにより燃料電池１０が冷却され、そして熱交換器６０を通流することによりエアポンプ３１から供給されるエアが冷却され、ラジエータ７０に戻る。なお、図１では、燃料電池１０と熱交換器６０が、ラジエータ７０と直列に接続されているが、燃料電池１０と熱交換器６０がそれぞれ、ラジエータ７０に対して並列に接続されていてもよい。
【００３７】
消音器８０は、いわゆるエアインテークサイレンサと称されるものであり、エアポンプ３１の上流側に設けられ、エアポンプ３１の作動時の吸気騒音を低減するものである。この消音器８０は、モータルーム内において、ラジエータ７０に近傍して配置されている。なお、ラジエータ７０に近接して配置されるとは、消音器８０が、モータルーム内に設けられたラジエータ７０からの排熱の影響を受けることを意味している。例えば、消音器８０は、ラジエータ７０の後ろ側の上部に位置しているため、ラジエータ７０を通過した排熱は、消音器８０を加熱することになる。
【００３８】
図２に示すように、希釈器３５は、例えば、箱型のケース３５ａを有し、該ケース３５ａ内の底部に水貯留部３５ｓが形成されるように構成されている。また、希釈器３５は、該ケース３５ａ内において複数の仕切板３５ｂによって上部から下部に向けて蛇行路が形成され、該蛇行路の最下部に希釈後のガスが外部に排出されるとともに配管ｂ９が接続される出口３５ｃが形成されている。出口３５ｃには、絞り部３５ｄが形成されている。また、ケース３５ａ内には、通流管ｃ１が貫通して挿入され、通流管ｃ１の上流端が水貯留部３５ｓ内に位置するように構成されている。なお、本実施形態では、希釈器３５が水貯留部３５ｓとして機能している。
【００３９】
すなわち、希釈器３５は、ケース３５ａ内の蛇行路の最上部から配管ｂ８を介してカソードオフガスが導入され、配管ａ７を介して水素を含む不純物などが導入されることにより、水素とカソードオフガスとが蛇行路を通過する際に混合され、規定の水素濃度に水素が希釈される。
【００４０】
また、カソードオフガスが希釈器３５内を通過すること、また希釈器３５内の壁面に衝突、接触することによって放熱され、カソードオフガスの温度が低下することで、カソードオフガスに含まれる水蒸気が凝縮（結露）する。生成された凝縮水は、重力の作用によって希釈器３５内の底部の水貯留部３５ｓに流れ込み、貯留されるようになっている。なお、配管ｂ８から凝縮水となって導入された水、また配管ａ５を介して導入されたドレン水（凝縮水）も、同様に、希釈器３５内の底部の水貯留部３５ｓに貯留される。
【００４１】
図３に示すように、酸化剤冷却器３２は、貯水部３２ａ、管部３２ｂ、膜部３２ｃ、オーバーフロー管ｃ２などで構成されている。
【００４２】
貯水部３２ａは、希釈器３５から通流管ｃ１を介して導入される凝縮水が溜まる流路を有し、その上流端が通流管ｃ１と接続され、下流端がオーバーフロー管ｃ２と接続されている。
【００４３】
管部３２ｂは、空気（乾燥ガス）が通流する流路を有し、上流端が配管ｂ１と接続され、下流端が配管ｂ２と接続されている。
【００４４】
膜部３２ｃは、複数本の中空糸膜（水透過膜）３２ｃ１，３２ｃ１，・・・を有し、各中空糸膜３２ｃ１の両端部が貯水部３２ａに開口し、中空糸膜３２ｃ１の内側と貯水部３２ａとが連通するように構成されている。また、膜部３２ｃは、中空糸膜３２ｃ１の両端部を除く部分が管部３２ｂ内に配置され、前記両端部がポッティング部材３２ｄを介して貯水部３２ａと管部３２ｂとの間が閉塞されている。
【００４５】
オーバーフロー管ｃ２は、下流端が車外（大気）に開放しており、例えば貯水部３２ａ内が満水になったときにオーバーフロー管ｃ２を介して車外に水が排出されるようになっている。
【００４６】
なお、燃料電池システム１Ａは、図示しない制御装置を備えており、図示しないイグニッションがオンにされると、エアポンプ３１の駆動が開始されてカソードに向けて空気の供給が開始されるとともに、図示しない電磁作動式の水素遮断弁が開弁されてアノードに向けて水素の供給が開始される。また、制御装置は、エアポンプ３１のモータの回転速度、背圧弁３４の弁開度、ドレン弁２２およびパージ弁２３の開閉を制御する。
【００４７】
次に、第１実施形態に係る燃料電池システム１Ａの動作について説明する。運転者によって燃料電池車のイグニッションがオンにされると、図示しない制御装置は、高圧バッテリ（不図示）に蓄積された電力を利用して、エアポンプ３１の作動を開始して消音器８０に形成された空気取入れ口８０ａから外気（空気）を導入して、燃料電池１０のカソード流路１２に供給し、図示しない水素遮断弁を開弁して、水素をアノード流路１１に供給する。そして、燃料電池１０の電圧（開放端電圧）が所定値に到達したことが制御部によって検知されると、走行モータ（図示せず）、エアポンプ３１などの外部負荷との接続が開始され、発電が開始される。
【００４８】
そして、燃料電池１０の発電時において、カソード流路１２の出口１２ｂから排出されたカソードオフガス（水蒸気など）は、膜加湿器３３および背圧弁３４を通って希釈器３５内に導入される。カソードオフガスが希釈器３５内を通流することにより、カソードオフガスが放熱することで、カソードオフガスに含まれる水蒸気が凝縮して、凝縮水が希釈器３５内の底部に形成された水貯留部３５ｓに貯留される。水貯留部３５ｓに貯留された凝縮水は、希釈器３５内の圧力Ｐ１（図２参照）と、オーバーフロー管ｃ２に連通する大気の圧力Ｐ２（図２参照）との差圧、すなわち圧力Ｐ１が圧力Ｐ２よりも高く設定されることによって、通流管ｃ１を介して酸化剤冷却器３２に圧送される。
【００４９】
一方、エアポンプ３１の吸引力によって空気取入れ口８０ａから吸引された外気（空気）は、消音器８０内を通過するが、この際、モータルーム内のラジエータ７０と消音器８０のレイアウト上の関係によって、消音器８０がラジエータ７０の排熱によって加熱される（図１参照）。このため、消音器８０内を通過する空気が加熱されることになる。このとき、エアポンプ３１の上流側の空気の吸い込み温度は、エアポンプ３１の空気取入れ口８０ａにおける空気の温度（吸気温度）に比べてかなり上昇することになる。
【００５０】
そこで、本実施形態に係る燃料電池システム１Ａは、消音器８０の下流、かつ、エアポンプ３１の上流に酸化剤冷却器３２を配置する構成としたものである。ここで、希釈器３５から酸化剤冷却器３２に送られた凝縮水は、貯水部３２ａに導入されて、中空糸膜３２ｃ１の毛管現象によって各中空糸膜３２ｃ１の内側を通流する。エアポンプ３１によって吸気された空気が管部３２ｂ内の中空糸膜３２ｃ１と中空糸膜３２ｃ１との間を通過する際、凝縮水が中空糸膜３２ｃ１を介して空気の熱によって蒸発（気化）する。換言すると、気化熱によって空気の温度を低下させることができる。よって、空気は、ラジエータ７０の排熱の影響を受けた消音器８０を通過することで高温となるが、酸化剤冷却器３２を通過することで、エアポンプ３１に導入される空気の吸気温度を下げることができる。
【００５１】
このように第１実施形態に係る燃料電池システム１Ａによれば、消音器８０の下流、かつ、エアポンプ３１の上流に酸化剤冷却器３２を設けることで、酸化剤冷却器３２に圧送された凝縮水が中空糸膜３２ｃ１を介して蒸発する際に気化熱によってエアポンプ３１の空気の吸込み温度を下げることができるので、エアポンプ３１の効率を向上させることができる。このようにエアポンプ３１の効率向上により、以下に示す効果を得ることができる。すなわち、第１の効果として、エアポンプ３１を高い回転速度で作動させる必要がなくなるので、エネルギ消費を抑制できるとともに発生音（騒音）や振動を抑制できる。第２の効果として、より小型のエアポンプ３１を利用可能となるので、コストを低減した、かつ、コンパクトな燃料電池システム１Ａを構築できる。
【００５２】
また、第１実施形態によれば、エアポンプ３１に導入される空気の温度を下げることができるので、エアポンプ３１の下流に設けられた熱交換器６０のサイズ小型化も可能になる。
【００５３】
また、第１実施形態によれば、希釈器３５内に水貯留部３５ｓを備えて、水貯留部３５ｓと酸化剤冷却器３２とを通流管ｃ１にて接続することで、水貯留部３５ｓに貯留された凝縮水を、通流管ｃ１を介して酸化剤冷却器３２に圧送することが可能になる。また、希釈器３５内を水貯留部３５ｓとして利用することで、水貯留部３５ｓを別個に設ける必要がないので、燃料電池システム１Ａを簡便化、小型化することが可能になる。
【００５４】
（第１実施形態の変形例）
図４は第１実施形態の変形例に係る燃料電池システムを示す構成図である。この燃料電池システム１Ｂは、燃料電池システム１Ａから通流管ｃ１を削除して、希釈器３５と酸化剤冷却器３２とを隣接して構成したものである。なお、その他の構成については、同一の符号を付して重複した説明を省略する（以下に示す他の実施形態についても同様である）。
【００５５】
図４に示すように、第１実施形態の変形例に係る燃料電池システム１Ｂは、例えば、希釈器３５が酸化剤冷却器３２の上部に接して配置され、希釈器３５内に形成された水貯留部３５ｓ(図２参照)の凝縮水の出口３５ｂ１と、酸化剤冷却器３２の凝縮水の入口３２ａ１とが鉛直方向または略鉛直方向において連通するように構成されている。これにより、希釈器３５の水貯留部３５ｓに溜まった凝縮水は、重力の作用によって酸化剤冷却器３２の貯水部３２ａ（図３参照）に導入される。
【００５６】
第１実施形態の変形例に係る燃料電池システム１Ｂによれば、通流管ｃ１を削除した構成とすることで、システムのさらなる簡便化が可能となる。さらに、通流管ｃ１のレイアウトを考慮する必要がなく、しかも後記するような圧送するための水ポンプ４０を設ける必要もない。
【００５７】
（第２実施形態）
図５は第２実施形態に係る燃料電池システムを示す全体構成図である。この燃料電池システム１Ｃは、第１実施形態に係る燃料電池システム１Ａの通流管ｃ１に水ポンプ４０を追加した構成である。
【００５８】
図５に示すように、燃料電池システム１Ｃは、通流管ｃ１の途中に水ポンプ４０を備えている。この水ポンプ４０は、例えば、モータで駆動されるものであり、希釈器３５から酸化剤冷却器３２までの間において差圧が発生しない領域に配置され、差圧が発生する領域まで送られた凝縮水を吸引して、酸化剤冷却器３２に強制的に送る機能を有している。
【００５９】
また、水ポンプ４０は、図示しない制御装置と電気的に接続されており、燃料電池１０の発電中、または適宜必要に応じて（例えば、貯水部３２ａの水量が不足したとき）駆動される。
【００６０】
第２実施形態の燃料電池システム１Ｃによれば、水ポンプ４０を設けることで、凝縮水を酸化剤冷却器３２に圧送するための差圧が発生しなくなる場合であっても、希釈器３５内の凝縮水を酸化剤冷却器３２に確実に送ることができるようになる。また、第２実施形態では、差圧が発生しなくなる領域に配置することで、無駄に大型で消費電力の大きな水ポンプを使用しなくてもよい。また、第２実施形態では、水ポンプ４０を使用することにより、差圧を発生させるために希釈器３５を複雑な構成にする必要もない。
【００６１】
（第３実施形態）
図６は第３実施形態に係る燃料電池システムを示す全体構成図である。第３実施形態の燃料電池システム１Ｄは、水貯留部を設ける位置を希釈器３５に替えてマフラ５０としたものである。
【００６２】
マフラ５０は、燃料電池システム１Ｄの外部に排出される排気ガスの音を小さくするためのものであり、希釈器３５の下流に設けられている。マフラ５０は、例えば、配管ｂ９よりも膨張した空間を備える膨張部５０ａを有し、該膨張部５０ａ内の底部に水貯留部５０ｓが形成されている。なお、膨張部５０ａは、消音性を発揮するために、その内部が複数の隔壁によって区画され、またグラスウールなどの吸音材を備えて構成されている。
【００６３】
また、マフラ５０には、水貯留部５０ｓと連通する通流管ｃ３の上流端が接続され、通流管ｃ３の下流端が酸化剤冷却器３２の貯水部３２ａに接続されている。
【００６４】
第３実施形態の燃料電池システム１Ｄによれば、第１実施形態において希釈器３５に水貯留部３５ｓを設けた場合と同様な効果を得ることができる。また、マフラ５０内に水貯留部５０ｓを設けることで、専用の水貯留部を別個に設ける必要がなく、システムを簡便化、小型化できる。
【００６５】
本発明は前記した各実施形態に限定されるものではなく、第３実施形態において、通流管ｃ３で差圧が発生しない領域に水ポンプ４０を配置して圧送するようにしてもよい。
【００６６】
また、各実施形態では、熱交換器６０を搭載した場合を例に挙げて説明したが、酸化剤冷却器３２のみによって燃料電池１０のカソードに供給される空気の温度を適切に管理できるものであれば、熱交換器６０を非搭載としてもよい。
【００６７】
また、第３実施形態において、マフラ５０と酸化剤冷却器３２とを通流管ｃ３を介することなく隣接して配置、すなわち、酸化剤冷却器３２の上部にマフラ５０を隣接して配置するようにしてもよい。
【００６８】
また、本実施形態では、希釈器３５に水貯留部３５ｓを設けた場合、またマフラ５０に水貯留部５０ｓを設けた場合を例に挙げて説明したが、これに限定されるものではなく、専用の水貯留部を、カソード流路１２の出口１２ｂより下流側の酸化剤流路に設ける構成であってもよい。
【符号の説明】
【００６９】
１Ａ〜１Ｄ  燃料電池システム
１０    燃料電池
３１    エアポンプ（酸化剤ポンプ）
３２    酸化剤冷却器
３２ａ  貯水部
３２ｂ  管部
３２ｃ  膜部
３２ｃ１  中空糸膜（水透過膜）
３２ｄ  ポッティング部材
３３    膜加湿器
３５    希釈器
３５ｓ  水貯留部
４０    水ポンプ
５０    マフラ
５０ｓ  水貯留部
６０    熱交換器
７０    ラジエータ
８０    消音器
ｂ１〜ｂ９  配管（酸化剤流路）
ｃ１，ｃ３  通流管
ｃ２    オーバーフロー管
【図１】
2012099394.tif 000003
【図２】
2012099394.tif 000004
【図３】
2012099394.tif 000005
【図４】
2012099394.tif 000006
【図５】
2012099394.tif 000007
【図６】
2012099394.tif 000008